(57)【要約】【課題】植生根のロール現象、土壌菌の部分過剰繁殖、養分の偏向を防ぐばかりでなく、施工が容易で、コンクリート製の法面上に凹凸があっても強固な緑化植生基盤を構成できる緑化植生ブロックを提供する。【解決手段】緑化植生ブロック１Ａは六角形の柱状体の側面１１に多数の透孔１３が設けられている。この緑化植生ブロック１Ａを多数寄せ集めて隣接する側面１１同士を接合してハニカム状植生ブロック集合体４Ａを形成する。このハニカム状植生ブロック集合体４Ａをコンクリート製の法面上に配置して金網でに固定し、種子を混入したスラリー状の客土をスラリーポンプによって吹付ければ緑化植生基盤が形成できる。【選択図】図４
2005068665.tif 000002
【特許請求の範囲】
【請求項１】
上面および底面が解放され側面に多数の透孔を設けた中空の断面多角形の柱状体より構成されていることを特徴とする緑化植生ブロック。
【請求項２】
上記多角形が三角ないし八角から選定されたいずれか１つの多角形であることを特徴とする請求項１記載の緑化植生ブロック。
【請求項３】
上記多角形が五角または六角の多角形であることを特徴とする請求項２記載の緑化植生ブロック。
【請求項４】
上記柱状体の側面に設けられた透孔の総面積が側面の面積の８％ないし３０％になるように透孔が穿孔されていることを特徴とする請求項１ないし請求項３のいずれかに記載の緑化植生ブロック。
【請求項５】
上記柱状体の高さは３ｃｍないし２０ｃｍ、最大直径は５ｃｍないし２０ｃｍであることを特徴とする請求項１ないし請求項４のいずれかに記載の緑化植生ブロック。
【請求項６】
上記断面多角形の柱状体は、長方形の板材の長手方向に直角に等間隔に設けられた数本の折れ目と該折れ目によって区画された方形の区画に設けられた多数の透孔とを有する長方形の板材をその折れ目に沿って折り曲げ、両端の糊代部を接合して形成されていることを特徴とする請求項１ないし請求項５のいずれかに記載の緑化植生ブロック。
【請求項７】
上記長方形の板材は、ダンボール、厚紙、再生紙等の紙質材料、木材、合成木材、合板等の木質材料およびプラスチック材料より選ばれた１種または２種以上の材料から形成されていることを特徴とする請求項６に記載の緑化植生ブロック。
【請求項８】
上記断面多角形の柱状体は、紙パルプ、合成木材原料、プラスチック材料等の可塑性材料を一体成形して形成されていることを特徴とする請求項１ないし請求項５のいずれにかに記載の緑化植生ブロック。
【請求項９】
上記プラスチック材料として生分解性プラスチックを用いることを特徴とする請求項７または請求項８に記載の緑化植生ブロック。
【発明の詳細な説明】
【０００１】
【発明の属する技術分野】
本発明は、道路、ダム、造成地等のコンクリート製の法面に草や樹木を植えて緑化するための緑化植生基盤を構成するための緑化植生ブロックに関する。
【０００２】
【従来の技術】
コンクリート製の法面に草や樹木を植えて緑化するための緑化植生工法に使用する緑化植生ブロックとしては、今まで各種の緑化植生ブロックが提案されている。
【０００３】
その代表的なものとしては、（ａ）土壌充填用空洞を有し斜面と同じ傾斜度を持って作成されたコンクリート製の植生ブロックでこれをモルタル上に敷き詰めるもの、（ｂ）羽根板付きのアンカーでモルタル面に等間隔で打ち込み、この上下の羽根板の間に土壌を盛るもの、（ｃ）生分解性材料のパネル基盤上に多数の凹部を形成し、この凹部に種子、肥料、吸収性ポリマーを詰めて、このパネルを法面上に敷き詰めるもの等を挙げることができる。
【特許文献１】特開平０９−３０２６８６号公報
【特許文献２】特開平１０−３７２２０号公報
【特許文献３】特開平１０−２４８３８０号公報
【０００４】
【発明が解決しようとする課題】
ところが、上記（ａ）の特開平０９−３０２６８６号公報記載の植生ブロックはコンクリート製なので製造費用が高価に付くばかりでなく、法面の傾斜度が大きい場合は、植生植物を植える土壌充填用空洞の面積が小さくなる、植生ブロックが崩落する危険度が高くなる等の欠点を有する。
【０００５】
上記（ｂ）の特開平１０−３７２２０号公報記載の羽根板付きのアンカーはその数だけモルタル面を穿孔する必要があるので、冬季その削孔部分から浸透した水分がモルタル面の裏面において凍結膨張してモルタルを破壊するという問題がある。
【０００６】
上記（ｃ）の特開平１０−２４８３８０号公報記載のパネル基盤は、庭園、河川敷、傾斜地、ゴルフ場等の土壌が剥き出しになっている法面を対象にして開発されたものと思われるが、土壌以外のコンクリート面の上にも直に緑化が可能であると言及している。
【０００７】
しかし、実際のコンクリート製の法面の場合は、その表面は必ずしも平坦ではなく、このような広い面積を持つパネル基盤を凹凸のあるコンクリート製の法面の上に敷き詰めた場合、パネル基盤とコンクリート面との間に隙間が生じ、雨水がその隙間を流通してパネル基盤とコンクリート面との接合、植生植物のコンクリート面への定着を阻害する。そのために、コンクリート面の表側をある程度掘削してからパネル基盤を敷き詰める必要が生じてくる。このようにコンクリートの表面を破壊することは、法面保護機能を著しく低下させることになる。
【０００８】
さらに、このパネル基盤の凹部の底には穴が開けられているが、側面には透孔が存在しないので、植生植物の根が横方向に伸びることができず植生根のロール現象を起こして植物の発育を阻害すると同時に、隣接する植物同士の根が絡まって緑化基盤を強化する効果が期待できない。
【０００９】
【課題を解決する手段】
そこで、本発明は従来の課題を解決し、且つ、大幅なコストダウンと作業性を高めることのできる植生緑化基盤を形成するための緑化植生ブロックを提供するものである。すなわち、本発明の緑化植生ブロックは上面および底面が解放され側面に多数の透孔を設けた中空の断面多角形の柱状体より構成されていることを特徴とする。
【００１０】
この断面多角形の柱状体より形成された本発明の緑化植生ブロックを直立した状態で隣接する緑化植生ブロックの相接する側面を互いに結合してハニカム状植生ブロック集合体を形成すればコンクリート製の法面上に極めて容易に植生緑化基盤を形成することができる。
【００１１】
本発明の緑化植生ブロックは断面多角形の柱状体であって、多角形の数は三角ないしは八角が好ましい。三角は多角形を形成する最小限の数である。八角形よりも辺の数が多い多角形は円に近づき、緑化植生ブロック内に詰め込んだ客土が膨張する力を受け止める強度が小さくなり好ましくない。
【００１２】
すなわち、三角形の植生ブロックは入り口面積が小さいので、スラリーポンプで客土スラリーを注入する場合中まで入りにくい。従って、充填された客土に空隙ができ、客土の充填率が低くなる。入り口面積を大きくするとハニカム状植生ブロック集合体とした場合にその強度が弱くなる。
【００１３】
四角形の植生ブロックはハニカム状植生ブロック集合体にした場合その強度が、五角形、六角形に比べて弱い。
【００１４】
五角形の植生ブロックはハニカム状植生ブロック集合体にした場合その強度が強く、スラリーポンプで客土スラリーを注入した場合中まで入りやすい。また、ハニカム状植生ブロック集合体にした場合、菱形の空隙ができるが、最終工程で客土スラリーを吹き付ければこの菱形の空隙の中にも客土が注入されるので緑化植生基盤の強度を弱くすることはない。さらに、この菱形の空隙の存在によってブロック集合体のフレキシビリティが増し、凹凸の法面上に載せた場合、その凹凸を吸収して法面との間に隙間が生じなくなる。
【００１５】
六角形の植生ブロックはハニカム状植生ブロック集合体にした場合その強度が最も強い。さらに、客土スラリーは奥まで入りやすいので客土の充填率は非常に高い。従って、多角形の植生ブロックとしては五角形および六角形の植生ブロックが最も好ましい。
【００１６】
本発明の緑化植生ブロックの側面には多数の透孔が設けられている。この透孔の数は、透孔の総面積が側面の面積の８％ないし３０％になるように透孔を穿孔する必要がある。透孔の総面積が側面の面積の８％よりも少ないと、緑化植生ブロック内に溜まった重力水な排出が悪く、この中に植えた植生植物の根腐れを起こす原因になる。透孔の総面積が側面の面積の３０％よりも大きい場合は、重力水が流出して保水性が悪くなると同時に、緑化植生ブロックの強度が弱くなるので好ましくない。
【００１７】
緑化植生ブロックの大きさは、高さは３ｃｍないし２０ｃｍ、最大直径は５ｃｍないし２０ｃｍであることが好ましい。高さが３ｃｍより低いと客土を収容する体積が小さくなるので植物の根付が悪くなるので好ましくない。２０ｃｍよりも高いと斜面で客土を入れた場合、強度不足で自壊してしまう可能性がある。
【００１８】
最大直径が５ｃｍよりも小さいと、客土を吹き付けた場合、緑化植生ブロック内に客土が入る確率が低くなり空隙ができやすいので好ましくない。最大直径が２０ｃｍよりも大きいと、特に傾斜地で客土を収容した場合、雨水や風によって客土が流出してしまうので好ましくない。
【００１９】
最も、推奨する大きさは、六角形の緑化植生ブロックの場合、最大直径は９ｃｍ〜１５ｃｍ、高さは５ｃｍ、１０ｃｍ、１５ｃｍである。３段階の高さのものを作る必要性は、後述のハニカム状植生ブロック集合体の説明の項において述べる。
【００２０】
この緑化植生ブロックを形成するには、１枚の長方形をした板材の長手方向に直角に折れ目を等間隔に形成し、その折れ目に沿って折りたたんで多角形の柱状体を形成する。折れ目の数は目的とする多角形の辺の数と同じ数だけ形成する。折れ目によって形成された矩形の区画（側面）は多角形の辺の数よりも１つ多くなる。両端の矩形の区画は糊代部として重ね合わせれば目的とする上面および底面の解放された中空の断面多角形の柱状体が得られる。
【００２１】
即ち、六角形の柱状体の場合は、折れ目を６本付ける。その結果、長方形の区画は７つ形成される。折れ目に沿って折り曲げ、両端の糊代部を重ね合わせて糊付けまたはステープラ等で止めれば六角形の柱状体が形成される。
【００２２】
緑化植生ブロックの材料には、ダンボール、厚紙、再生紙等の紙質材料、木材、合成木材、合板等の木質材料およびプラスチック材料のいずれか又はこれらの材料の複合材料から選定される。
【００２３】
これらの材料のうち特に好ましいものは、保水性、機械的強度、凍結耐破壊性、生分解性、環境汚染性、製造の容易性、現場での易組立性、コストの面から選定される。紙質材料の中ではダンボールが上記すべての条件を満足できる材料であるので最も好ましい。厚紙も使用可能であるがコストの点で難点がある。再生紙は生分解性がやや劣る。
【００２４】
木質材料の中では合成木材が比較的好ましいが、製造の容易性、コストの点で難点がある。木材は製造面、現場での組み立て性、コストの面でやや劣る。合板は強度の面では優れているが生分解性、製造面、現場での組み立て性、コストの面で劣る。
【００２５】
プラスチック材料としてビニール樹脂や発泡プラスチック等も使用可能であるが、生分解性が悪く、また環境汚染性の点でも好ましくない。その点、生分解性プラスチックが好ましく用いられる。生分解性プラスチックとしては、微生物産生系生分解性プラスチック、澱粉系生分解性プラスチック、セルロース系生分解性プラスチック、乳酸系生分解性プラスチック、ポリカプトラクトン系生分解性プラスチック等種々製造されているが、いずれの生分解性プラスチックでも、またここに例示されていない生分解性プラスチックでも使用可能である。
【００２６】
緑化植生ブロックを形成する他の方法としては一体成形による方法がある。この方法に用いられる材料は、紙パルプ、合成木材の原料である粘結剤を混ぜた木材チップまたは木材粉末、プラスチック材料等の可塑性材料である。成形方法としては、プレス成形、モールド成形が用いられる。プラスチック原料の場合は射出成型も使用することができる。
【００２７】
ハニカム状植生ブロック集合体を形成する工程において、緑化植生ブロック同士を結合する方法としては、接着剤で接着する方法が一般的に適用できるが、この方法は接合に時間がかかる、接着剤のコストが高い等の難点がある。そこで、紙質材料や柔らかいプラスチックで製造されたブロックはステープラ針で上下２箇所を止める方法が最も簡単で、特に現場いにおいて組み立てる場合、作業性に勝れているので推奨する。
木質材料や硬いプラスチックの場合は、Ｕ字型の金属製の接続具を用いることもできる。
【００２８】
【実施例】
次に本願発明の実施例を図１によって説明する。
１Ａは本発明の緑化植生ブロックの傾斜図で、上面および底面が解放された六角形の柱状体の場合の例を示している。１１は側壁、１２は折れ目、１３は透孔、１４は柱状体を形成するために接合した糊代部、１５はステープラ針である。
【００２９】
この緑化植生ブロック１Ａの標準的サイズとしては、高さ１５ｃｍ、横６ｃｍの側面１１に直径１ｃｍの透孔が１４個設けられている。従って側面１１に対する透孔の総面積の比率は１２．２％である。
【００３０】
この緑化植生ブロック１Ａを形成するには、図３に示す長方形のダンボール製の板紙に長手方向に直角に等間隔に６本の折れ目１２を設け、この折れ目１２によって区画された区画１１に透孔１３を多数穿孔する。折れ目１２に沿って折り曲げ六角形の柱状体を形成する。板紙の両端の糊代部１４，１４を重ねてステープラ針１５で止めて緑化植生ブロック１Ａを形成する。
【００３１】
本発明の緑化植生ブロックの製造法としては可塑性材料を用いて一体成形により製造することができる。この方法によって製造された緑化植生ブロック１Ｂは図２に示すように接合部のない六角形の柱状体として形成される。
【００３２】
次に本発明の緑化植生ブロックの使用方法について説明する。
図４に示すように、先ず、緑化植生ブロック１Ａを２個並べ、接触する側面１１同士を密接した状態でステープラ針１６で上下２箇所を止める。以下同様にして蜂巣状に組み立てて、ハニカム状植生ブロック集合体４Ａを形成する。
【００３３】
緑化植生ブロックは背の高い植生ブロック（例えば高さ１５ｃｍ）、中くらいの植生ブロック（例えば高さ１０ｃｍ）、背の低い植生ブロック（例えば高さ５ｃｍ）の３種類が用意されている。そして、図５、図６に示すようにコンクリート製法面８の上の中央部には背の高い植生ブロックで構成したハニカム状植生ブロック集合体４１を、その回りに中くらいの高さの植生ブロックで構成したハニカム状植生ブロック集合体４２を、その外周に背の低い植生ブロックで構成したハニカム状植生ブロック集合体４３をそれぞれ配置する。
【００３４】
このようにして構成されたハニカム状植生ブロック集合体の主要部をアンカー５１で仮止めした後、全面を金網６で覆い、その周囲をピン５２で法面上に固定する。最後に、種子等を混入した客土スラリーをスラリーポンプで吹き付け緑化植生基盤７を形成する。
【００３５】
図７は断面五角形の緑化植生ブロック１Ｃを組み合わせて構成したハニカム状植生ブロック集合体でその配置の仕方によって２種類の植生ブロック集合体４Ｂ、４Ｃが形成される。いずれも菱形の隙間４４が形成されるが、施工時に客土をスラリーポンプによって吹き付ければ、この隙間にも客土が充填されるのでハニカム状植生ブロック集合体の強度には影響ない。
【００３６】
【発明の効果】
本発明の緑化植生ブロックは、上面および底面が解放され側面に多数の透孔を有する中空の断面多角形の柱状体として構成されているので、この緑化植生ブロックを多数並べその隣接する緑化植生ブロック同士の側面を結合して構成したハニカム状植生ブロック集合体は、法面上に凹凸があってもコンクリート面との間に間隙が生ぜず、強固な緑化植生基盤を形成することができる。
【００３７】
本発明の緑化植生ブロックは、上面および底面が解放され側面に多数の透孔を有する中空の断面多角形の柱状体として構成されているので、この緑化植生ブロックを多数並べその隣接する緑化植生ブロック同士の側面を結合して構成したハニカム状植生ブロック集合体は、植生根のロール現象、土壌菌の部分過剰繁殖、養分の偏向を防ぐばかりでなく、側面の透孔から植生植物の根が横に伸び隣接する緑化植生ブロック中の植生植物の根と絡み合って強固な緑化植生基盤を形成することができる。
【００３８】
本発明の緑化植生ブロックとして、紙質材料や生分解性プラスチック材料等の保水性、生分解性の材料を使用すれば、乾燥障害耐性が高く、環境汚染性の少ない緑化植生基盤を形成することができる。
【００３９】
本発明の緑化植生ブロックの素材として、板材の長手方向に直角に等間隔に設けられた数本の折れ目とこの折れ目によって区画された方形の区域に設けられた多数の透孔とを有する長方形の板材を用いることにより、現場で簡単に緑化植生ブロックを形成することができるので、緑化植生ブロックの輸送費の削減や施工コストの切り下げが可能になる。
【図面の簡単な説明】
【図１】本発明の一実施例の緑化植生ブロックの斜面図である。
【図２】本発明の他の実施例の緑化植生ブロックの傾斜図である。
【図３】本発明の緑化植生ブロックを形成する素材の平面図である。
【図４】本発明の緑化植生ブロックを用いてハニカム状植生ブロック集合体を形成する説明図である。
【図５】本発明の緑化植生ブロックによって形成されたハニカム状植生ブロック集合体の平面図である。
【図６】本発明の緑化植生ブロックによって形成された緑化植生基盤を示す説明図である。
【図７】五角形の緑化植生ブロックから形成したハニカム状植生ブロック集合体の平面図である。
【符号の説明】
１Ａ  緑化植生ブロック
１１  側面
１２  折れ目
１３  透孔
１５  ステープラ針
４Ａ  ハニカム状植生ブロック集合体
５１  アンカー
６  金網
７  緑化植生基盤
【図１】
2005068665.tif 000003
【図２】
2005068665.tif 000004
【図３】
2005068665.tif 000005
【図４】
2005068665.tif 000006
【図５】
2005068665.tif 000007
【図６】
2005068665.tif 000008
【図７】
2005068665.tif 000009